(57)【要約】      （修正有）【課題】電気接続装置がケーシングを遮る面積を小さくし、ケーシングに比較的大きい発光面積を維持し、最適の発光効果を達成する発光積み木を提供する。【解決手段】ケーシング１１と、電気接続装置１３と組み合わせてなる。ケーシングは互いに接続する主接続シート１１１と、複数枚の透光性シート１１２とを含み、ケーシングの外部に突き合わせ構造を有し、ケーシングの内部に収容空間１１３を形成する。発光体１３２を導電板１３１の中央に搭載した電気接続装置１３をケーシング収容空間における主接続シートの内面に集中して設置する。【選択図】図３
0003201231.tif 000002
【実用新案登録請求の範囲】
【請求項１】
発光積み木であって、
互いに接続する主接続シートと、複数枚の透光性シートとを含む、内部に収容空間を形成していて、かつ隣接する前記主接続シートの透光性シートは、前記主接続シート側面の付近場所に挿入孔を設け、前記主接続シートと、前記複数枚の透光性シートの外部に突き合わせ構造を設けて、前記発光積み木の前記主接続シートをもう一つの前記発光積み木の前記透光性シートと突き合わせるケーシングと、
ケーシングの収容空間に取り付け、導電板と、前記導電板電気に接続する発光体、導電コネクタと、複数の縁部の導電接続ベースとを有し、前記導電板は前記ケーシングの前記主接続シートの内面に位置し、複数の縁部の導電接続ベースをそれぞれ前記ケーシングの前記透光性シートの挿入孔に対向し、前記導電コネクタを前記ケーシングの前記主接続シートに貫いて、前記主接続シートの外面に突き出する電気接続装置と、を含む、
前記発光積み木の前記主接続シートが突き合わせ構造を介して、前記もう一つの発光積み木の前記透光性シートと突き合わせ、前記発光積み木の前記導電コネクタを前記もう一つの発光積み木の前記透光性シートの前記挿入孔に挿入して、前記もう一つの発光積み木の縁部の導電接続ベースと電気接続を形成することを特徴とする、発光積み木。
【請求項２】
前記突き合わせ構造は、前記ケーシングの前記主接続シートの周りに設ける突起体及び前記透光性シートの周りに設ける凹み部とを含むことを特徴とする、請求項１記載の発光積み木。
【請求項３】
前記電気接続装置はさらに延長導電接続ベースを有し、前記延長導電接続ベースは前記主接続シートの前記透光性シートの位置から離れていて、かつ前記導電線と前記導電板を介して電気接続しており、前記透光性シートと前記延長導電接続ベースの対向位置に挿入孔を設けることを特徴とする、請求項１記載の発光積み木。
【請求項４】
前記発光体は、前記導電板の表面及び中央場所に取り付けることを特徴とする、請求項１記載の発光積み木。
【考案の詳細な説明】
【技術分野】
【０００１】
本考案は、ケーシングの収容空間に電気接続装置を内設し、電気接続装置が収容空間の側面に位置し、電気接続装置がケーシングを遮る面積を小さくして、最適の発光効果を達成する光積み木に関する。
【背景技術】
【０００２】
一般に光源を出射できる積み木は、直接に積み木に発光体及び導電装置を設ける。一例として、米国特許公告ＵＳ３，６９６，５４８号（特許文献１）は、主に積み木のそれぞれの側壁に直接に導電端子を設けていて、かつ電気コードを用いて各導電端子を電気導通させ、２つの隣接する積み木を互いに挿接した後、電気接続を形成して、各積み木に内設する発光体より光線を出射される。
【先行技術文献】
【特許文献】
【０００３】
【特許文献１】米国特許公告ＵＳ３，６９６，５４８号
【考案の概要】
【考案が解決しようとする課題】
【０００４】
この種の手段は、導電端子の高さ位置の不一致により、発光体の出射光源が導電端子及び電気コードに邪魔されて、発光効果を大きく低下する。さらに、導電端子と積み木とを同時に加工が必要なため、加工プロセスが複雑であり、製造が難しいである。
【課題を解決するための手段】
【０００５】
本考案の主な目的は、電気接続装置をケーシング内部の収容空間の一側に設けることによって、電気接続装置がケーシングに対する遮蔽面積を軽減でき、ケーシングは比較的大きい発光可能な面積を維持できる発光積み木を提供することにある。
【０００６】
本考案のもう一つの目的は、電気接続装置の導電コネクタと、複数の縁部の導電接続ベースを導電板の一側とその周りに集中設置することによって、複数の電気接点の集中設置の効果を達成することにある。正方体の発光積み木の例を挙げると、導電コネクタより、主接続シートと外部との導電接続を提供し、４つの縁部の導電接続ベースより、４枚の透光性シートと、もう一つの発光積み木の導電コネクタとの導電接続を提供する。このように、単純な構造をもって、発光積み木の５面に必要な導電接続を提供できる。
【０００７】
本考案の次の目的は、電気接続装置の発光体を導電板の表面及び中央位置に取り付けることによって、発光体から出射する光線は邪魔されることなく、直接にケーシングの各透光性シートを透過して外部に出射でき、発光効果が大幅に向上できる。
【０００８】
本考案のさらに一つの目的は、突き合わせ構造をケーシングの主接続シート及び透光性シートの周りに設けることによって、透光性シートはより大きい発光面積を維持でき、発光効果を向上できる。
【０００９】
前述目的を達成するため、本考案の発光積み木は、ケーシングと、電気接続装置より組み合わせる。ケーシングは互いに接続する主接続シートと、複数枚の透光性シートとを含む、ケーシングの外部は突き合わせ構造を有し、ケーシングの内部に収容空間を形成しており、隣接する主接続シートの透光性シートは主接続シートの側面の付近場所に挿入孔を設け、電気接続装置をケーシングの収容空間内部に取り付けていて、かつ電気接続装置に導電板を設け、導電板を発光体と、導電コネクタと、複数の縁部の導電接続ベースに電気接続し、発光体を導電板の表面と中央位置に取り付け、導電コネクタがケーシングの主接続シートを貫き、主接続シートの外面に突き出し、縁部の導電接続ベースをそれぞれケーシング透光性シートの挿入孔に対向することによって、電気接続装置を収容空間の一側に集中して設置し、電気接続装置がケーシングに対する遮蔽面積を軽減でき、ケーシングにより大きい発光面積を維持できる。
【００１０】
そのうち、前述発光積み木のケーシングの主接続シートと、複数枚の透光性シートの外部に、発光積み木の主接続シートがもう一つの発光積み木の透光性シートと突き合わせるための突き合わせ構造を設けており、突き合わせ構造は、ケーシングの主接続シートの周りに設ける突起体と、透光性シートの周りに設ける凹み部とを有する。これにより、透光性シートにより大きい発光面積を確保できる。
【図面の簡単な説明】
【００１１】
【図１】本考案の発光積み木の立体外観図である。
【図２】図１による発光積み木を様々な角度から見た立体外観図である。
【図３】本考案の発光積み木の局所断面の立体図である。
【図４】本考案の発光積み木の主要構成品による立体分解図である。
【図５】本考案の発光積みを突き合わせるときの立体分解図である。
【図６】本考案の発光積みを垂直方向に突き合わせるとき、局所構成品の断面図である。
【図７】本考案の発光積みを水平方向に突き合わせるとき、局所構成品の断面図である。
【図８】本考案のもう一つの実施例による立体外観図である。
【図９】図８による発光積み木の断面図である。
【図１０】本考案の実施例による発光積み木末端ブロックの立体外観図である。
【図１１】図１０による発光積み木末端ブロックを様々な角度から見た立体外観図である。
【図１２】本考案もう一つの実施例による発光積み木末端ブロックの立体外観図である。
【図１３】図１２による発光積み木末端ブロックを様々な角度から見た立体外観図である。
【図１４】本考案もう一つの実施例による発光積み木末端ブロックの立体外観図である。
【図１５】本考案の第１種の使用態様による発光積み木とベースの立体分解図である。
【図１６】本考案の第１種の使用態様による組み合わせ後の正面図である。
【図１７】本考案の第２種の使用態様による立体外観図である。
【考案を実施するための形態】
【００１２】
以下、添付図面を参照して本考案の実施の形態を詳細に説明する。
【実施例１】
【００１３】
図１ないし図７を参照する。本考案の発光積み木１はケーシング１１と、電気接続装置１３とを含む。
【００１４】
そのうち、ケーシング１１は互いに接続する主接続シート１１１と、複数枚の透光性シート１１２とを含む、透光性シート１１２は透光性または半透光性部材から仕上げる。本実施例において、ケーシング１１は正方体を形成し、ケーシング１１は主接続シート１１１と複数枚の透光性シート１１２の外部に突き合わせ構造１２を設けられ、ケーシング１１の内部に収容空間１１３を形成する。さらに、主接続シート１１１に隣接する４枚の透光性シート１１２は主接続シート１１１側面の付近場所に、挿入孔１１２１を設けられている。さらに、突き合わせ構造１２は、ケーシング１１主接続シート１１１の周りに設ける突起体１２１と、ケーシング１１透光性シート１１２の周りに設ける凹み部１２２とを含む。
【００１５】
係る電気接続装置１３は主に前述ケーシング１１の収容空間１１３に取り付けていて、導電板１３１および導電板１３１に電気接続する発光体１３２と、導電コネクタ１３３と、複数の縁部の導電接続ベース１３４とを設けており、本実施例において、正方体の発光積み木１は４組の縁部の導電接続ベース１３４を実施している。導電板１３１をケーシング１１の主接続シート１１１の内面に固定し、発光体１３２を導電板１３１の表面と中央位置に取り付けることによって、発光体１３２を各透光性シート１１２向けに光源を投射させる。発光体１３２は、発光ダイオードまたはその他小さい電球である。複数の縁部の導電接続ベース１３４をそれぞれケーシング１１の透光性シート１１２の挿入孔１１２１に対向させ、導電コネクタ１３３をケーシング１１の主接続シート１１１に貫いて主接続シート１１１の外部に突き出すことによって、電気接続装置１３を収容空間１１３が主接続シート１１１内面寄りの位置に集中して突き出す。これにより、本実施例において、正方体の発光積み木１の導電コネクタ１３３から主接続シート１１１と外部との導電接続を提供し、４つの縁部の導電接続ベース１３４から４枚の透光性シート１１２がもう一つの発光積み木１の導電コネクタ１３３との導電接続を提供し、単純な集中構造により、発光積み木１に５面の必要な導電接続を提供される。
【００１６】
引き続き、図３と図６を参照する。主接続シート１１１の真向かい方向の透光性シート１１２に導電接続機能を提供するため、電気接続装置１３に延長導電接続ベース１３５を設け、係る延長導電接続ベース１３５を主接続シート１１１の真向かい方向の透光性シート１１２に設けていて、かつ導電線１３６と導電板１３１を介して電気接続され、係る導電線１３６は光線を遮られないように、前述透光性シート１１２の周りを経由する。さらに、前述延長導電接続ベース１３５を主接続シート１１１の真向かい方向のもう一つの透光性シート１１２に設け、係る透光性シート１１２と、延長導電接続ベース１３５の対向位置に挿入孔１１２１を設ける。
引き続き、図５ないし図７を参照する。図からはっきり分かるように、本考案の２つの発光積み木１を突き合わせるときには、一つの発光積み木１の主接続シート１１１をもう一つの発光積み木１の透光性シート１１２に対向させ、主接続シート１１１より露出する導電コネクタ１３３を透光性シート１１２の挿入孔１１２１から挿入し、導電コネクタ１３３を挿入孔１１２１に挿入した後に、係る挿入孔１１２１に対抗する縁部の導電接続ベース１３４または延長導電接続ベース１３５と電気接続を形成させる。これにより、２つの発光積み木１が電気接続状態を形成される。
【００１７】
さらに、主接続シート１１１より露出する導電コネクタ１３３を透光性シート１１２の挿入孔１１２１より挿入した後、突き合わせ構造１２が主接続シート１１１に設置した突起体１２１が透光性シート１１２の周りに設ける凹み部１２２に挿入して、固定結合を完了する。
【実施例２】
【００１８】
図８と図９、もう一つの実施例による発光積み木１′を参照する。係るケーシング１１′に主接続シート１１１′と、複数枚の透光性シート１１２′とを有し、ケーシング１１′の外部に突き合わせ構造１２′を設け、ケーシング１１′の内部に収容空間１１３′と、電気接続装置１３′とを有する。  係る電気接続装置１３′は導電板１３１′と、発光体１３２′と、導電コネクタ１３３′と、複数の縁部の導電接続ベース１３４′と、導電線１３６′及び導電板１３１′によって電気接続を形成する延長導電接続ベース１３５′と、を含む。さらに、突き合わせ構造１２′は、ケーシング１１′の主接続シート１１１′の周りに設ける突起体１２１′と、ケーシング１１′の透光性シート１１２′の周りに設ける凹み部１２２′とを含む。そのうち、２つの突起体１２１′は、導電コネクタ１３３′を貫いて外部に突き出すとおり穴を有し、主接続シート１１１付近部の凹み部１２２′によって、貫通して挿入孔１１２１′を形成し、複数の縁部の導電接続ベース１３４′をそれぞれ挿入孔１１２１′に対向して、導電コネクタ１３３′を挿入孔１１２１′に貫いて、縁部の導電接続ベース１３４′と電気接続する。このほか、延長導電接続ベース１３５′を透光性シート１１２に貫いて、凹み部１２２′の内部に延在し、係る凹み部１２２′は挿入孔１１２１′であり、導電コネクタ１３３′を挿入孔１１２１′に貫いて、延長導電接続ベース１３５′と電気接続を形成する。
【００１９】
図１０ないし１４、本考案の発光積み木末端ブロック（２、３、４）による３つの実施例態様図及び、図１０ないし１６、本考案の発光積み木末端ブロック４を発光積み木１の末端部に組み合わせた態様を参照する。その他の発光積み木末端ブロック（２、３）の用途はこの図に示す内容と類似する。
【００２０】
図１０ないし１１に示すように、発光積み木末端ブロック２は主接続シート２１と、透光性シート２２と、透光性スタイルシート２３を互いに繋いで形成し、発光積み木末端ブロック２が三角体を形成していて、かつ主接続シート２１の表面に導電コネクタ２４を露出し、透光性シート２２の表面に挿入孔２２１を設けられている。図１２と図１３に示すように、発光積み木末端ブロック３は主接続シート３１と、透光性シート３２と、透光性スタイルシート３３を互いに繋いで形成し、発光積み木末端ブロック３が円弧体を形成していて、かつ主接続シート３１の表面に導電コネクタ３４を露出し、透光性シート３２の表面に挿入孔３２１を設けられている。図１４に示すように、発光積み木末端ブロック４は主接続シート４１と、複数の透光性スタイルシート４２とを互いに繋いで形成し、発光積み木末端ブロック４が錐体を形成していて、かつ主接続シート４１の表面に導電コネクタ４３を露出している。引き続き、図１、図１０ないし１４及び図１６を参照する。発光積み木１と、各種の発光積木末端ブロック（２、３、４）とを組み合わせて接続すれば、より多い立体模様を創り出せる。さらに、発光積み木１と各種の発光積み木末端ブロック（２、３、４）の導電コネクタ（１３３、２４、３４、４３）をもう一つの発光積み木１または各種の発光積み木末端ブロック（２、３、４）の挿入孔（１１２１、２２１、３２１）に挿入して、導電接続を形成する。
【００２１】
図１５、本考案の第１種の使用態様による発光積み木１と、ベース５の立体分解図、図１、図３、図６と図１６、本考案の第１種の使用態様とを参照する。発光積み木１をベース５の表面に挿接し、係るベース５に電気コード６を繋ぐかまたは電池７を取り付けていて、かつベース５の表面に複数組の凹み部５１と導電穴５２を設け、凹み部５１は発光積み木１の突起体１２１に対向し、発光積み木１をベース５の表面に挿接して、発光積み木１の突起体１２１を凹み部５１にはめ込んで固定を形成し、発光積み木１の導電コネクタ１３３を導電穴５２に挿入して、電気コード６または電池７と導電接続を形成して、発光積み木１の発光体１３２より光源を出射し、透光性シート１１２の外部に投射する。さらに、もう一つの発光積み木１の主接続シート１１１の導電コネクタ１３３をベース５の発光積み木１の透光性シート１１２の挿入孔１１２１に挿入し、挿入孔１１２１内部の縁部の導電接続ベース１３４または延長導電接続ベース１３５と互いに導電接続させ、２つの隣接する発光積み木１に導電接続を形成して、すべての発光体１３２とも光源を出射できる。
【００２２】
図１ないし３と図１７、本考案による第２種の使用態様において、複数の発光積み木１を互いに接続した後、さらに接続ベース８をそのうち一つの発光積み木１を繋き、接続ベース８に接続した電気コード６を用いて、電源を発光積み木１に提供し、すべての発光積み木１の発光体１３２とも光源を出射できるようにする。
【符号の説明】
【００２３】
１、１′             発光積み木
１１、１１′         ケーシング
１１１、１１１′     主接続シート
１１２、１１２′     透光性シート
１１２１、１１２１′ 挿入穴
１１３、１１３′     収容空間
１２、１２′         突き合わせ構造
１２１、１２１′     突起体
１２２、１２２′     凹み部
１３、１３′         電気接続装置
１３１、１３１′     導電板
１３２、１３２′     発光体
１３３、１３３′     導電コネクタ
１３４、１３４′     縁部の導電接続ベース
１３５、１３５′     延長導電接続ベース
１３６、１３６′     導電線
２、３、４           発光積み木末端ブロック
２１、３１、４１     主接続シート
２２、３２           透光性シート
２２１、３２１       挿入穴
２３、３３、４２     透光性スタイルシート
２４、３４、４３     導電コネクタ
５                   ベース
５１                 凹み部
５２                 導電穴
６                   電源コード
７                   電池
８                   接続ベース
【図１】
0003201231.tif 000003
【図２】
0003201231.tif 000004
【図３】
0003201231.tif 000005
【図４】
0003201231.tif 000006
【図５】
0003201231.tif 000007
【図６】
0003201231.tif 000008
【図７】
0003201231.tif 000009
【図８】
0003201231.tif 000010
【図９】
0003201231.tif 000011
【図１０】
0003201231.tif 000012
【図１１】
0003201231.tif 000013
【図１２】
0003201231.tif 000014
【図１３】
0003201231.tif 000015
【図１４】
0003201231.tif 000016
【図１５】
0003201231.tif 000017
【図１６】
0003201231.tif 000018
【図１７】
0003201231.tif 000019